(57)【要約】【課題】従来のステッキ機能にカート機能を持たせたものがなく、簡素でコンパクトに実現すること。【解決手段】中空主棒は端にハンドル、ロック用孔、鍵形部ロック孔を設け、他方にジョイントピン挿入孔を有すジョイントを接続し、中空副棒はロック用凸部入り溝孔、ジョイントピンスライド溝孔を設け、端に車輪、用途変換レバーを持つ前部車輪ホルダーを、他方に車輪、ステッキ先端ゴム部品を有す後部車輪ホルダーとを装着し、ジョイント方向から中空副棒の前輪車輪ホルダー側へ入れ込み、ジョイントピンスライド溝孔からジョイントピン挿入孔にジョイントピンを挿入して連結し、奥方へ押しきると用途変換レバーのロック用凸部が中空主棒のロック用孔に嵌り込み、中空主棒と中空副棒は固定されステッキモード状態となり、鍵形部あたりを押すとロックは解除され、中空主棒を引き出しきり上方へ折り曲げると鍵形部ロック孔に鍵形部がロックし折れ状態で固定しカートモードになる。【選択図】図１
2016019712.tif 000002
【特許請求の範囲】
【請求項１】
ハンドルに接続する一本の直棒とスリップ防止のゴム部品とで構成されているステッキ機能に、手提げ物の手提げ移動負担を軽減するカート機能に変換できるように形成したもので、
中空主棒は、一方の端に、ハンドルを接続固定し、他方の端に、該ハンドルの握り方向に合せた中心線上にロック用孔と用途変換レバーのロック用凸部より幅を狭めた鍵形部ロック孔を設け、
ジョイントは、接続部と球体部、または、半円形体に中心を貫通するジョイントピン挿入孔を設け、ジョイントピン挿入孔が該中空主棒のロック用孔と鍵形部ロック用孔の線上に直角になるように接続部で該中空主棒の端に接続固定し、
中空副棒は、一方の端に、該ジョイントが入り込める幅の切り欠とロック用凸郎入り溝孔とを、該中空主棒のロック用孔と鍵形部ロック孔一直線上になるように設け、該ジョイントのジョイントピン挿入孔と同じ向きの線上になるように両側に貫通するジョイントピンスライド溝孔を設け、
該中空副棒の一方の端に装着の前部車輪ホルダーは、一方の端に、該空中主棒が入り込める幅のホルダー切り欠と同中心線上に間隙を形成し直角に貫通するレバー取付ピン孔を有する山形部と、山形部の対面側に、該中空副棒のジョイントピンスライド溝孔と同じ向きの車輪を取り付ける車輪シャフトを設けたもので、該中空副棒の切り欠側端へ、該前部車輪ホルダーを挿入し、該中空副棒の切り欠と該前部車輪ホルダーのホルダー切り欠を合せ固定し、
該中空副棒の他方の端に装着の後部車輪ホルダーは、前部車輪ホルダーと同様に車輪シャフトを取り付け、端に先端ゴム部品を、車輪シャフトには車輪を装着し、該後部車輪ホルダーを該前部車輪ホルダーの車輪シャフトに角度を合せ該中空副棒へ挿入固定し、
該中空主棒の該ジョイント端を該中空副棒の切り欠のある筒端から入れ込み、該中空副棒のジョイントピンスライド溝孔からジョイントのジョイントピン挿入孔へジョイントピンを挿入し連結させ、
用途変換レバーは、鍵形部、コイルバネ取付突起部、ロック用凸部、レバー取付ピン孔を設けており、該用途変換レバーの装着には、コイルバネ取付突起部にコイルバネを嵌め込み、ロック用凸部を該空中副棒のロック用凸部入り溝孔に差し込みながら、該前部車輪ホルダーの山形部の間隙に該用途変換レバーを取り付け、山形部にあるレバー取付ピン孔と該用途変換レバーのレバー取付ピン孔を合せてレバー取付ピンで装着し、
上記機構形態で、該中空副部の筒内へ該中空主棒を奥方へ押すと、該ジョイントの球体部の端が該用途変換レバーのロック用凸部を押し上げコイルバネを抗して該用途変換レバーは水平状態となり、さらに、該中空主棒を奥方へ押すと、該用途変換レバーのロック用凸部は、該中空主棒の鍵形部ロック孔には入り込まず通り過ぎロック用孔に嵌り、該中空主棒と該中空副棒のスライドがロックされステッキモードとなり、該用途変換レバーの鍵形部あたりを押えるとロックが解除され、該中空副棒から該中空主棒を引き出すと、ロック用凸部に抵抗がなくなり該用途変換レバーがコイルバネの反発で上向きになり、さらに、該中空主棒を引き出しきると、該ジョイントの球体部に挿入されている該ジョイントピンによる折り曲げ機構で上向きに折り曲げると、該中空主棒の鍵形部ロック孔に該用途変換レバーの鍵形部が入り込み、折り曲げ形態でロックされカートモードになる仕組みにしているステッキ＆カート。
【請求項２】
ハンドル握り方向にハンドル溝を設け、ハンドル溝に手提げ荷の手提げの紐等を掛けれるようにし、ハンドルと一緒に握れる仕組みにしている請求項１記載のステッキ＆カート。
【発明の詳細な説明】
【技術分野】
【０００１】  本発明は、一般的なステッキの機能に、手提げ荷の手提げ移動用のカートに変換できるステッキ＆カートに関するものである。
【背景技術】
【０００２】  従来の一般的なステッキは歩行時に体を支えながら安心安全を保持するものがある。【０００３】  また、小荷物運搬を補助する２輪付きのカートがある（例えば、バッグ付きカート）。【０００４】  さらに、小荷物運搬を補助しながら、かつ、体を支えることができる４輪付きのカートがある（例えば、４輪付きカート）。
【先行技術文献】
【特許文献】
【０００５】
【特許文献１】実開平５−１３４２９
【発明の概要】
【発明が解決しようとする課題】
【０００６】  以上に述べた従来の一般的なステッキでは、歩行時に体を支えることで安心安全を保持しながら歩行を補助するものであるが、手提げ荷のみの移動時に補助するような簡易型のカートはなく、また、カートは小荷物運搬時に体を支えながら負担を軽減するものがあるが、かさばり、携行時に不便なことがあった。【０００７】  本発明は、従来の一般的なステッキ機能のものに、手提げ荷の移動時に体を支えながら負担を軽減できる機能を付加することの利便性に着目し、コンパクトで簡素な機構で問題を解決し、実現することを目的とするものである。
【課題を解決するための手段】
【０００８】  本発明は上記目的を達成するために、ハンドルに接続する一本の直棒とスリップ防止のゴム部品とで構成されているステッキ機能に、手提げ荷の手提げ移動負担を軽減するカート機能に変換できるように形成したもので、中空主棒は、一方の端に、ハンドルを接続固定し、他方の端に、該ハンドルの握り方向に合せた中心線上にロック用孔と用途変換レバーのロック用凸部より幅を狭めた鍵形部ロック孔を設け、ジョイントは、接続部と球体部、または、半円形体に中心を貫通するジョイントピン挿入孔を設け、ジョイントピン挿入孔が該中空主棒のロック用孔と鍵形部ロック孔の線上に直角になるように接続部で該中空主棒の端に接続固定し、中空副棒は、一方の端に、該ジョイントが入り込める幅の切り欠とロック用凸部入り溝孔とを、該中空主棒のロック用孔と鍵形部ロック孔と一直線上になるように設け、該ジョイントのジョイントピン挿入孔と同じ向きの線上になるように両側に貫通するジョイントピンスライド溝孔を設け、該中空副棒の一方の端に装着の前部車輪ホルダーは、一方の端に、該空中主棒が入り込める幅のホルダー切り欠と同中心線上に間隙を形成し直角に貫通するレバー取付ピン孔を有する山形部と、山形部の対面側に該中空副棒のジョイントピンスライド溝孔と同じむきの車輪を取り付ける車輪シャフトを設けたもので、該中空副棒の切り欠側端へ、該前部車輪ホルダーを挿入し、該中空副棒の切り欠と該前部車輪ホルダーのホルダー切り欠を合せ固定し、該中空副棒の他方の端に装着の後部車輪ホルダーは、前部車輪ホルダーと同様に車輪シャフトを取り付け、端に先端ゴム部品を、車輪シャフトには車輪を装着し、該後部車輪ホルダーを該前部車輪ホルダーの車輪シャフトに角度を合わせ該中空副棒へ挿入固定し、該中空主棒の該ジョイント端を該中空副棒の切り欠のある筒端から入れ込み、該中空副棒のジョイントピンスライド溝孔からジョイントのジョイントピン挿入孔へジョイントピンを挿入し連結させ、用途変換レバーは、鍵形部、コイルバネ取付突起部、ロック用凸部、レバー取付ピン孔を設けており、該用途変換レバーの装着には、コイルバネ取付突起部にコイルバネを嵌め込み、ロック用凸部を該中空副棒のロック用凸部入り溝に差し込みながら、該前部車輪ホルダーの山形部の間隙に該用途変換レバーを取り付け、山形部にあるレバー取付ピン孔と該用途変換レバーのレバー取付ピン孔を合せてレバー取付ピンで装着し、上記機構形態で、該中空副棒の筒内へ該中空主棒を奥方へ押すと、該ジョイントの球体部の端が該用途変換レバーのロック用凸部を押し上げコイルバネを抗して該用途変換レバーは水平状態となり、さらに、該中空主棒を奥方へ押すと、該用途変換レバーのロック用凸部は、該中空主棒の鍵形部ロック孔には入り込まず通り過ぎロック用孔に嵌り、該中空主棒と該中空副棒のスライドがロックされステッキモードとなり、該用途変換レバーの鍵形部あたりを押えるとロックが解除され、該中空副棒から該中空主棒を引き出すと、ロック用凸部に抵抗がなくなり該用途変換レバーがコイルバネの反発で上向きになり、さらに、該中空主棒を引き出しきると、該ジョイントの球体部に挿入されている該ジョイントピンによる折り曲げ機構で上向きに折���曲げると、該中空主棒の鍵形部ロック孔に該用途変換レバーの鍵形部が入り込み、折り曲げ形態でロックされカートモードになる仕組みにしている。【０００９】  第２課題解決の手段は、ハンドルの握り方向にハンドル溝を設け、ハンドル溝に手提げ荷の手提げの紐等を掛けれるようにし、ハンドルと一緒に握れる仕組みにしている。【００１０】  上記第１の課題解決手段による作用は、通常のステッキ機能以外に、中空主棒と中空副棒を設け、互いにジョイントのジョイントピンによる連結で、該中空副棒の筒内へ挿入の該中空主棒が筒内でねじれずにスライド可能な一本の集約的な形態となり、用途変換レバーのロック用凸部でロックされステッキモードとなり、また、用途変換レバーでロックを解除し該中空副棒から該中空主棒を引き出しきり、ジョイントピンの連結部分で上方方向に折り曲げた形態を該用途変換レバーの鍵形部でロックしカートモードとなり、自在に用途変換レバーで変換でき、状況に応じた補助に役立てることができる。【００１１】  また、第２の課題解決手段による作用は、ハンドルの握り方向のハンドル溝に手提げ荷の手提げの紐等を掛けるこは、ハンドルと手提げ紐等を一緒に握ることになり、カートモードでの移動時の手提げ荷のふらつきを減らし安定した移動の補助ができ、ステッキモードでの待ち時、乗車時等でも手提げ感覚で手提げ負担の軽減に役立てることができる。
【発明の効果】
【００１２】  上述したように本発明のステッキ＆カートは、一般的なステッキ機能と、カート機能を自在に変換できる機能をコンパクトな形状にしており、利便性と経済性を高めたものを提供できる。
【図面の簡単な説明】
【００１３】
【図１】本発明実施形態のステッキ＆カートでステッキモード時での正面図
【図２】同図１の右側面図
【図３】本発明実施形態のステッキ＆モードでカートモード時での正面図
【図４】同図３の右側面図
【図５】同図２の右側面図でのＡ−Ａ部分断面図
【図６】同図４の右側面図でのＢ−Ｂ部分断面図
【図７】（ａ）ジョイント３の拡大上面図（ｂ）上図（ａ）の拡大側面図
【図８】ステッキモード解除からカートモード直前の過程図（ａ）（ｂ）（ｃ）（ｄ）
【発明を実施するための形態】
【００１４】  以下、本発明の実施の形態を図１〜図８に基づいて説明する。
【００１５】  図１、図２に示すように、ハンドル１を接続している中空主棒２と中空副棒５の端、切り欠５ｃ側に、車輪シャフト１２に取り付られた車輪１１と用途変換レバー８を装着している前部車輪ホルダー６と、他方の端に、同様に取り付けられている車輪１１とステッキ先端ゴム部品１３を装着している後部車輪ホルダー７を両端に備えている中空副棒５とで構成している。
【００１６】  図５、図６に示すように、接続部３ａ、球体部３ｂ、ジョイントピン挿入孔３ｃとを設けているジョイント３を接続している中空主棒２を、ジョイントピンスライド溝孔５ａを設けている中空副棒５の筒中に入れ込み、ジョイントピンスライド溝孔５ａからジョイントピン挿入孔３ｃにジョイントピン４を挿入で連結し、ねじれと抜け出しを防止してスライドが自在となる。
【００１７】  さらに、図５、図６に示すように、用途変換レバー８のコイルバネ取付突起部８ｄにコイルバネ９を取り付けながら、ロック用凸部８ｃを中空副棒５のロック用凸部入り溝孔５ｂに入れながら、前部車輪ホルダー６の山形部６ｂの間隙６ｃに取付け、レバー取付ピン孔６ｄ、レバー取付ピン孔８ａを合せ、レバー取付ピン１０を挿入して装着する。
【００１８】  以上、上記構成の動作を説明する。図５に示すように、中空主棒２を中空副棒５の奥まで差し込むと所定の位置で止り、同時に用途変換レバー８のロック用凸部８ｃがコイルバネ９の反発で中空主棒２のロック用孔２ａにはまり込みロックされ、スライドが不可となり、ステッキモードの状態になる。用途変更レバー８の鍵形部８ｂあたりをプッシュするとロックが解除される。
、
【００１９】  また、図６に示すように、中空副棒５のジョイントピンスライド溝孔５ａの端まで中空主棒を引き出すと、用途変換レバー８のロック用凸部８ｃに抵抗がなくなり、コイルバネ９の反発で、用途変換レバー８の鍵形部８ｂが上方に傾き上り、所定の位置まで中空主棒２を上方に折り曲げると同時に、鍵形部ロック孔２ｂと用途変換レバー８の鍵形部８ｂが自動的にロックしてカートモードになり、鍵形部８ｂあたりをプッシュすると、中空主棒２のロックを解除することができる。
【００２０】  図８は、ステッキモード（図５でのＡ−Ａ部分断面図）からカートモード（図６でのＢ−Ｂ部分断面図）に至るまでの過程を示したもので、（ａ）は、用途変換レバー８の下方矢印はプッシュによる図５でのステッキモードのロック解除を示すもので、（ｂ）は、中空主棒２が引き出される途中過程で、用途変換レバー８のロック用凸部８ｃより中空主棒２の鍵形部ロック孔２ｂの溝幅を狭く設定しており、ロック用凸部８ｃは鍵形部ロック孔２ｂに嵌り込まず通過中を示したもので、（ｃ）は、さらに、中空主棒２が引き出され、ジョイント３の球体部３ｂの端が用途変換レバー８のロック用凸部８ｃを通過直後で、用途変換レバー８がコイルバネ９の反発により斜め上方に向きを変えた瞬間を示したもので、（ｄ）は、さらに、中空主棒２を引き出しきると、ジョイントピン４を支点に中空主棒２が上向きに折れ曲がることを示したもので、さらに折れ曲がりロックされると図６でのカートモードになる。カートモードからステッキモードへの過程は上記の逆である。
【００２１】  さらに、図２に示すように、ハンドル溝１ａを設けることで、カートモードでは、手提げの紐等を引っ掛けるようにしている。
【００２２】  以上のように、本実施形態によれば、ステッキモードとカートモードとが適宜容易に変換でき、カートモード時の手提げ紐等の引っ掛けも容易で、コンパクトな形態で持ち歩きに抵抗感がなく、利便性と経済性を兼ね揃えた効果が得られる。
【符号の説明】
【００２３】１    ハンドル
１ａ  ハンドル溝
２    中空主棒
２ａ  ロック用孔
２ｂ  鍵形部ロック孔
３    ジョイント
３ａ  接続部
３ｂ  球体部
３ｃ  ジョイントピン挿入孔
４    ジョイントピン
５    中空副棒
５ａ  ジョイントピンスライド溝孔
５ｂ  ロック用凸部入り溝孔
５ｃ  切り欠
６    前部車輪ホルダー
６ａ  ホルダー切り欠
６ｂ  山形部
６ｃ  間隙
６ｄ  レバー取付ピン孔
７    後部車輪ホルダー
８    用途変換レバー
８ａ  レバー取付ピン孔
８ｂ  鍵形部
８ｃ  ロック用凸部
８ｄ  コイルバネ取付突起部
９    コイルバネ
１０  レバー取付ピン
１１  車輪
１２  車輪用シャフト
１３  先端ゴム部品
【図１】
2016019712.tif 000003
【図２】
2016019712.tif 000004
【図３】
2016019712.tif 000005
【図４】
2016019712.tif 000006
【図５】
2016019712.tif 000007
【図６】
2016019712.tif 000008
【図７】
2016019712.tif 000009
【図８】
2016019712.tif 000010
【手続補正書】
【提出日】平成26年12月15日(2014.12.15)
【手続補正１】
【補正対象書類名】明細書
【補正対象項目名】００１１
【補正方法】変更
【補正の内容】
【００１１】
また、第２の課題解決手段による作用は、ハンドルの握り方向のハンドル溝に手提げ荷の手提げの紐等を掛けることは、ハンドルと手提げ紐等を一緒に握ることになり、カートモードでの移動時の手提げ荷のふらつきを減らし安定した移動の補助ができ、ステッキモードでの待ち時、乗車時等でも手提げ感覚で手提げ負担の軽減に役立てることができる。